(57)【要約】【課題】口腔診査において、診査結果の発声を文字に変換できる音声入力を用いた口腔診査記録システム及びプログラムを提供すること。【解決手段】口腔診査記録システムは、音声入力手段（２、３）と音声認識手段（１１）と記録手段（１３）とを備え、  被診査者の歯に対応する番号、該歯の状態の順で発声された音声を、音声入力手段がディジタルデータとして取得し、  音声認識手段が、音声入力手段によって取得されたディジタルデータを音声認識して日本語文字に変換して記録手段に記録し、  音声認識手段が、  「より」の音声を、連続を意味する文字に変換し、  「こめじるし」の音声を、間違った診査結果が発声されたことを意味する文字（※）に変換し、  「ひだりがわ」の音声を、「左側」に変換し、  「みぎがわ」の音声を「右側」に変換し、且つ、  「かいぎょう」の音声を、各歯の診査結果の区切りを示す文字（改行）に変換する。【選択図】図１
2011085805.tif 000002
【特許請求の範囲】
【請求項１】
音声入力手段と音声認識手段と記録手段とを備え、口腔診査結果を記録するシステムであって、
被診査者の歯に対応する番号、該歯の状態の順で発声された音声を、前記音声入力手段が、ディジタルデータとして取得し、
前記音声認識手段が、前記音声入力手段によって取得された前記ディジタルデータを音声認識して日本語文字に変換し、該日本語文字を前記記録手段に記録し、
前記音声認識手段が、
「より」の音声を、連続を意味する文字に変換し、
「こめじるし」の音声を、間違った診査結果が発声されたことを意味する文字に変換し、
「ひだりがわ」の音声を、「左側」に変換し、
「みぎがわ」の音声を「右側」に変換し、且つ、
「かいぎょう」の音声を、各歯の診査結果の区切りを示す文字に変換することを特徴とする口腔診査記録システム。
【請求項２】
さらに、前記音声認識手段が、「にかいぎょう」又は「ごかいぎょう」の音声を、各歯の診査結果の区切りを示す文字に変換することを特徴とする請求項１に記載された口腔診査記録システム。
【請求項３】
音声入力手段と記録手段とを備えたコンピュータに、口腔診査結果を記録させるプログラムであって、
前記コンピュータに、
被診査者の歯に対応する番号、該歯の状態の順で発声された音声を、前記音声入力手段がディジタルデータとして取得したデータを、音声認識して日本語文字に変換させる機能と、
前記日本語文字を前記記録手段に記録させる機能とを実現させ、
「より」の音声を、連続を意味する文字に変換し、
「こめじるし」の音声を、間違った診査結果が発声されたことを意味する文字に変換し、
「ひだりがわ」の音声を、「左側」に変換し、
「みぎがわ」の音声を「右側」に変換し、且つ、
「かいぎょう」の音声を、各歯の診査結果の区切りを示す文字に変換することを特徴とする口腔診査記録プログラム。
【請求項４】
さらに、「にかいぎょう」又は「ごかいぎょう」の音声を、各歯の診査結果の区切りを示す文字に変換することを特徴とする請求項３に記載された口腔診査記録プログラム。
【発明の詳細な説明】
【技術分野】
【０００１】
本発明は、歯科診療で行われる口腔診査において、医師による診査結果の音声を認識処理してディジタルデータとして記録する口腔診査記録システム及びそのプログラムに関する。
【背景技術】
【０００２】
口腔診査は歯科診療の基礎をなすものであり、きわめて重要である。例えば、歯科大学の附属病院では、具体的な診療を開始する前に患者の口腔診査を行い、その結果に応じて患者毎に適切な受診科を決定している。
【０００３】
現在の口腔診査では、歯科医師（以下、単に医師とも記す）が患者の口腔内を診査し、歯毎の判断結果を「上顎 右側 ６番 Ｃ４（ウ蝕を意味する）」や「下顎 左側 ７番 欠損」のように発声し、衛生士や助手がこれを聞き取って手書きしている。表１に、口腔診査で使用される用語（以下、記号とも記す）を示す。
【０００４】
【表１】
2011085805.tif 000003
【０００５】
このように口腔診査を実施する場合、医師以外に記録者が必要である。また、記録者の聞き間違いや、誤記入などが発生するおそれがあるが、医師は両手にグローブ（ナイロン手袋）をはめて、常に患者の口腔内を注視しているので、口腔診査中に正しく記録されているか確認することはできない。また、記録者がいない時には、医師自身が記録するので手間がかかる。
【０００６】
この問題を解決するために、コンピュータを使用して、歯の診査結果を記録する方法が提案されている。下記特許文献１には、歯の診査結果、具体的には歯周診査において、医師の音声を、コンピュータを用いた音声認識によって記録することが開示されている。
【０００７】
また、歯の診査結果の記録方法としては、ディジタルデータとして記録し（例えば電子カルテ）、画像で患者にも提示することができるシステムが開示されている（下記特許文献２参照）。
【先行技術文献】
【特許文献】
【０００８】
【特許文献１】特開２００８−１２９９６１号公報
【特許文献２】特開２００２−８３０４４号公報
【発明の概要】
【発明が解決しようとする課題】
【０００９】
本願の発明者は、口腔診査中の歯科医師の音声を、マイクを介して直接コンピュータ（以下、パソコンとも記す）に入力し、パソコン上で音声認識によって診査結果を記録することを試みた。
【００１０】
しかし、既存の音声認識ソフトでは、口腔診査中の歯科医師の音声を正しく認識できないことが分かった。認識率（正しく認識される割合）は、音声認識ソフトの性能にも依存し、学習機能を有する音声認識ソフトでは、特定の人が長い時間を掛けて学習させれば、その特定の人に関しては、認識率を高くすることが可能である。しかし、現在市販されている音声認識ソフトは、欧米言語（特に英語）用のものが主であり、日本人の発音には適しておらず、さらに、日本語特有の発声上の問題があり、認識率を高くすることができなかった。
【００１１】
表２に、口腔診査に既存の音声認識ソフトを適用した場合に誤認識されることが高い用語（記号）の一例を示す。
【００１２】
【表２】
2011085805.tif 000004
【００１３】
表２に示したように、例えば、歯科医師が、患者のある歯を「ウ蝕２度」と判断し、「Ｃ２」と認識されて記録されることを期待して、「しーつー」と発声しても、音声認識ソフトは「歯痛」と誤認識（誤変換）して記録してしまう。なお、左側、右側は、対象の歯の位置を示すために必要であり、一般に歯科医師は「さそく」、「うそく」と発声する。改行は、歯毎の区切りを示すためや、認識結果を確定するために必要である。それら以外にも、口腔診査を行う上で必要な用語には、連続を意味する用語として「〜」、間違った場合に訂正する用語として「／」が必要になるが、これらを「から」、「すらっしゅ」と発声しても正しく認識させることはできなかった。即ち、学習機能を使用しても、口腔診査を行う上で不可欠なこれらの用語を、１００％に近い高い認識率で正しく認識することができる音声認識ソフトは存在しなかった。
【００１４】
上記した特許文献１は、入力モードや、過去の認識結果に応じて、音声認識に使用するモデルを変更することを提案しているに過ぎず、口腔診査における上記の用語を正しく認識できる具体的な方法を開示しているものではない。
【００１５】
本発明は、上記した課題を解決すべく、口腔診査において、診査結果の発声を正しい文字に変換することができる音声入力を用いた口腔診査記録システム及びプログラムを提供することを目的とする。
【課題を解決するための手段】
【００１６】
本発明者は、上記した課題を解決すべく鋭意研究した結果、口腔診査で使用される用語が適切に変更されて発声された場合に、市販の音声認識ソフト、特に欧米言語用の市販の音声認識ソフトであっても、日本文字に正しく変換できることを見出し、これに基づき本願発明をするに至った。
【００１７】
本発明に係る口腔診査記録システムは、音声入力手段と音声認識手段と記録手段とを備え、口腔診査結果を記録するシステムであって、
被診査者の歯に対応する番号、該歯の状態の順で発声された音声を、前記音声入力手段が、ディジタルデータとして取得し、
前記音声認識手段が、前記音声入力手段によって取得された前記ディジタルデータを音声認識して日本語文字に変換し、該日本語文字を前記記録手段に記録し、
前記音声認識手段が、
「より」の音声を、連続を意味する文字に変換し、
「こめじるし」の音声を、間違った診査結果が発声されたことを意味する文字（※）に変換し、
「ひだりがわ」の音声を、「左側」に変換し、
「みぎがわ」の音声を「右側」に変換し、且つ、
「かいぎょう」の音声を、各歯の診査結果の区切りを示す文字（改行）に変換することを特徴としている。
【００１８】
さらに、前記音声認識手段は、「にかいぎょう」又は「ごかいぎょう」の音声を、各歯の診査結果の区切りを示す文字に変換することができる。
【００１９】
また、本発明に係る口腔診査記録プログラムは、音声入力手段と記録手段とを備えたコンピュータに、口腔診査結果を記録させるプログラムであって、
前記コンピュータに、
被診査者の歯に対応する番号、該歯の状態の順で発声された音声を、前記音声入力手段がディジタルデータとして取得したデータを、音声認識して日本語文字に変換させる機能と、
前記日本語文字を前記記録手段に記録させる機能とを実現させ、
「より」の音声を、連続を意味する文字に変換し、
「こめじるし」の音声を、間違った診査結果が発声されたことを意味する文字に変換し、
「ひだりがわ」の音声を、「左側」に変換し、
「みぎがわ」の音声を「右側」に変換し、且つ、
「かいぎょう」の音声を、各歯の診査結果の区切りを示す文字に変換することを特徴としている。
【００２０】
上記の口腔診査記録プログラムは、さらに、「にかいぎょう」又は「ごかいぎょう」の音声を、各歯の診査結果の区切りを示す文字に変換することができる。
【発明の効果】
【００２１】
本発明によれば、口腔診査において、発声された診査結果を正しい文字に変換し、記録することができる。従って、医師一人で口腔診査を行うことができ、記録者を不要とすることができる。
【００２２】
また、本発明を、コンピュータプログラムとして実現した場合、既存のパソコンに音声認識ソフトをインストールし、マイクさえ用意すれば、口腔診査が可能になる。従って、一般の歯科医院における初診時の口腔診査においても有効であり、学校や企業、地方自治体等で実施されている集団検診において、特に有効である。
【００２３】
また、正しく認識された口腔診査結果を、患者毎の電子データとして記録できるので、種々の用途に使用することができる。例えば、記録されたデータを用いて、歯列画像として表示すれば、患者への説明が容易になる。また、電子カルテの一部として使用することも容易である。
【図面の簡単な説明】
【００２４】
【図１】本発明の実施の形態に係る口腔診査記録システムの概略構成を示すブロック図である。
【図２】図１に示した口腔診査記録システムを用いた口腔診査を示すフローチャートである。
【図３】口腔診査結果を歯列表示した例を示す図である。
【図４】「改行」と「２改行」の認識結果を示すグラフである。
【図５】「〜（から）」と「より」の認識結果を示すグラフである。
【図６】「／」と「※」の認識結果を示すグラフである。
【図７】「左側」の認識結果を示すグラフである。
【図８】「右側」の認識結果を示すグラフである。
【図９】無線マイクを使用した場合の認識結果を示すグラフである。
【図１０】有線マイクを使用した場合の認識結果を示すグラフである。
【発明を実施するための形態】
【００２５】
以下、本発明に係る実施の形態を、添付した図面に基づいて説明する。
図１は、本発明の実施の形態に係る口腔診査記録システムの概略構成を示すブロック図である。口腔診査記録システムは、音声認識手段であるコンピュータ１と、コンピュータ１に音声データを入力する手段であるワイヤレスマイク２及び電波受信部３とを備えて構成されている。ワイヤレスマイク２は、入力された医師Ｄの音声を電気信号に変換した後、電波に変換して送信し、電波受信部３は、ワイヤレスマイク３から送信された電波を受信して、コンピュータ１に伝送する。
【００２６】
コンピュータ１は、演算処理部１１、一時記憶部１２、記録部１３、操作部１４、表示部１５、入出力インターフェイス部（以下、入出力ＩＦ部と記す）１６、及び、各部の間のデータを交換するための内部バス１７を備えて構成されている。操作部１４は、演算処理部１１に対する指示やデータを入力するための手段である。表示部１５は、演算処理部１１による処理結果などを表示する。入出力ＩＦ部１６は、電波受信部３、操作部１４および表示部１５との、インターフェイスを担う。例えば、コンピュータ１は、市販のパーソナルコンピュータであって、演算処理部１１、一時記憶部１２、および記録部１３には、それぞれＣＰＵ、ＲＡＭ、およびハードディスクドライブを用いることができる。また、操作部１４には、コンピュータ用のキーボード、マウス、タッチパネルなどを使用することができる。表示部１５は例えば液晶ディスプレイやＣＲＴディスプレイである。入出力ＩＦ部１６には、電波受信部３、操作部１４に応じたシリアル若しくはパラレルインターフェイスを採用すればよい。入出力ＩＦ部１６は、電波受信部３からの信号がアナログ信号であれば、ＡＤ変換部を備えればよい。また、入出力ＩＦ部１６は、ビデオメモリおよびＤＡ変換部を備え、表示部１５のビデオ方式に応じたアナログ信号を出力することによって、表示部１５に情報を提示するための画像が表示される。
【００２７】
図２は、コンピュータ１の機能、即ち、口腔診査結果の音声を認識して記録する機能を示すフローチャートである。演算処理部１１は、操作部１４が操作されて、電波受信部３を介して音声データを取得して記録部１３に記録する。演算処理部１１は、適宜記録部１３からデータを一時記憶部１２に読み出し、所定の処理を行った後、その結果を記録部１３に記録する。また、演算処理部１１は、操作部１４の操作を促す画面データや処理結果を表示する画面データを生成し、入出力ＩＦ部１６のビデオＲＡＭを介して、これらの画像を表示部１５に表示する。また、後述する学習データなどは、予め記録部１３に記録されているとする。また、診査開始を表す情報としてテキストデータ「口を開けてください」が、診査終了を表す情報としてテキストデータ「終わります」が、記録部１３に記録されているとする。口腔診査を円滑に実施するには、事前に患者に対して音声記録に関する注意事項を説明し、患者の音声によって口腔診査が中断されないようにすることが望ましい。
【００２８】
以下においては、特に断らない限り、コンピュータ１の演算処理部１１が行う処理として説明する。
【００２９】
ステップＳ１において、コンピュータプログラムである音声認識ソフト、過去の学習データ（口腔診査を実施する歯科医師Ｄ用のデータ）、診査開始を表すテキストデータ、及び、診査終了を表すテキストデータを、記録部１３から一時記憶部１２に読み出し、音声認識ソフトを起動する。このとき、患者を特定する情報（以下、患者コードとも記す）が、例えば、操作部１４から入力され、一時記憶部１２に記録される。起動された音声認識ソフトは、音声の入力を待ち受ける。
【００３０】
ステップＳ２において、医師Ｄが発した音声を、ワイヤレスマイク２、電波受信部３、及び入出力ＩＦ部１６を介して、一時記憶部１２にディジタルデータとして記録する。このとき、記録されるディジタルデータ（以下、音声データとも記す）は、例えば、所定のサンプリング時間でアナログの音声波形信号をサンプリングして得られたデータである。
【００３１】
ステップＳ３において、ステップＳ２で取得された音声データを音声認識ソフトで認識して、音声に対応する日本語文字に変換する。音声を認識して文字として出力する機能については、種々の方法が公知である。また、音声認識ソフトも多く市販されており、例えば、株式会社アドバンスト・メディアから販売されているＡｍｉＶｏｉｃｅ（登録商標）や、株式会社アセンディアから販売されているドラゴンスピーチなどを使用すればよいので、詳細説明を省略する。
【００３２】
ステップＳ４において、確定した認識結果を判断し、「診査終了」と一致すると判断された場合、ステップＳ５に移行し、それまでの認識結果を記録部１３に記録する。
【００３３】
ステップＳ２〜Ｓ４での処理について、実際の口腔診査の手順に基づいて説明すれば、次の通りである。診査を開始する場合、医師は、「くちをあけてください  かいぎょう」と発声し、これが「口を開けてください  改行」と認識される。「改行」と認識された場合、その前までの認識結果が確定する。この認識結果は、ステップＳ４において、診査終了を表すテキストデータ「終わります」と異なるので、ステップＳ２に戻る。
【００３４】
続いて、医師は、所定の順序で、それぞれの歯の状態を診査し、診査結果を発声する。診査する順序は、例えば、上顎右側の第７歯（第２大臼歯）〜第１歯（第１門歯）、上顎左側の第１歯〜第７歯、下顎左側の第７歯〜第１歯、下顎右側の第１歯〜第７歯の順である。発声の一例を示せば、医師は、「なな  えむあいえす  かいぎょう」、「ろく  びーあーる  かいぎょう」、「ご  びーあーるえむあいえす  かいぎょう」、「よん  びーあーる  かいぎょう」、・・・と発声する。これは、それぞれ「７  Ｍｉｓ  改行」、「６  Ｂｒ  改行」、「５  ＢｒＭｉｓ  改行」、「４  Ｂｒ  改行」、・・・のように認識されて、歯の番号を表す数字および歯の症状を表す記号を含む文字列に変換される。記号の意味は、表１に示された通りである。「改行」が認識されると、それより前に認識された「改行」の次に認識され文字から今回認識された「改行」の前までの認識結果を確定し、確定した文字列をひとまとめ（例えば１行のテキストデータ）として、一時記憶部１２に記憶する。
【００３５】
上顎右側の第１歯まで診査を終えて、次に上顎左側の第１歯を診査する前に、医師が「ひだりがわ  かいぎょう」と発声することによって、それに続く「いち  ・・・」、「に  ・・・」、・・・の発声を、上顎「左側」の歯に関する診査結果として、一時記憶部１２に記憶する。同様に、上顎左側の第７歯まで診査を終えて、次に下顎左側の第７歯を診査する前に、医師が「かがく  かいぎょう」と発声することによって、それに続く「なな  ・・・」、「ろく  ・・・」、・・・を、「下顎」左側の歯に関する診査結果として、一時記憶部１２に記憶する。同様に、下顎左側の第１歯の診査まで終えて、次に下顎右側の第１歯を診査する前に、医師が「みぎがわ  かいぎょう」と発声することによって、それに続く「いち  ・・・」、「に  ・・・」、・・・を、下顎「右側」の歯に関する診査結果として、一時記憶部１２に記憶する。
【００３６】
通常、歯科においては、右側、左側は、「うそく」、「さそく」と発声されるので、表２に示したように、多くの音声認識ソフトでは正しく認識されない。これに対して、「みぎがわ」、「ひだりがわ」と発声することで、正しく認識されるようになる。
【００３７】
複数の連続する歯が同じ診査結果である場合、例えば、第７歯〜第５歯までクラウンが施されている場合、「なな  から  ご  しーあーる」と発声され、記録者が「７〜５  Ｃｒ」と筆記する。しかし、「から」と発声して、音声認識ソフトに認識させると、正しく認識されない。これに対して、本発明では「より」と発声することで、音声認識ソフトに正しく認識させる。例えば、「なな  より  ご  しーあーる  かいぎょう」と発声する。これによって、７より５Ｃｒと自動的に記録することができる。
【００３８】
診査中に発声を間違えた場合、医師が「こめじるし」と発声すれば、「※」として認識される。「※」と認識された場合、「※」の直前に認識された結果から、１つ前の「改行」まで遡って、認識結果が削除される。このとき、削除せずに、「※」のまま記録してもよい。その場合、記録データを使用する時に、「※」によって削除されるべき部分を判断し、該当部分を使用しなければよい。
【００３９】
最後の歯まで診査が終わり、医師が「おわります  かいぎょう  かいぎょう」と発声すれば、「終わります  改行  改行」と認識される。この認識結果は、ステップＳ４において、診査終了を表すテキストデータ「終わります」と一致すると判断されて、ステップＳ５に移行する。そして、ステップＳ５において、それまで一時記憶部１２に記憶されたデータを、ステップＳ１で入力された患者コードと対応させて、記録部１３に、例えばファイルとして記録する。
【００４０】
以上によって、一人の医師だけで、通常の口腔診査を行えば、自動的に、患者毎の口腔診査の結果をテキストデータとして、コンピュータに記録することができる。
【００４１】
以上、本発明を、実施の形態を用いて説明したが、本発明は、上記の実施の形態に限定されるものではなく、種々に変更して実際され得る。
【００４２】
例えば、音声入力手段として、作業性の点でワイヤレスマイクが望ましいが、有線マイクを使用することもできる。
【００４３】
また、各歯の診査順序は任意であり、口腔診査の開始、終了を表す発声も任意である。
【００４４】
また、音声の認識状況を確認できるように、診査中に変換された文字を、表示部１５に表示してもよい。
【００４５】
また、認識結果を確定させるために「かいぎょう」と発声する場合を説明したが、使用するソフトによっては、「かいぎょう」と発声しても、正しく「改行」と認識されない場合がある。そのようなソフトに対しては、「にかいぎょう」と発声して、認識結果を確定させることができる。
【００４６】
ソフトによっては、一連の入力で「６  ＢｒＭｉｓ」という入力が先にあれば（即ち、そのように認識が確定していれば）、その後の入力で「ろく  びーあーる  かいぎょう」と発音すると、前の「６  ＢｒＭｉｓ」を引っぱってきて、「６  ＢｒＭｉｓ」という誤った文字に変換される。即ち、「かいぎょう」では正しい「改行」ができない。この場合「かいぎょう」にかわり「にかいぎょう」と発声すると、前の「６  ＢｒＭｉｓ」など、前の認識結果の影響をなくすことができ、正しく入力できる。すなわち、「ろく  びーあーる  にかいぎょう」と発声すると、「６  Ｂｒ  ２」と変換され、診査結果が正しく認識されて正しい文字に変換される。このとき、パソコンによる認識結果では、最後に「２」の文字が残るが、その文字はパソコン上で処理でき、その文字の前までの文字を診査結果のデータとして使用することができる。診査結果として記録する場合には、行末の「２」を除外して記録すればよい。なお「にかいぎょう」の「に」の代わりに「ご」でも同じ効用があり、いろいろな文字を用いても有効である。
【００４７】
また、患者毎に記録された診査結果のデータを、電子カルテ用のデータとして使用することができる。例えば、歯列画像に重畳させて表示装置に表示することもできる。図３は、その一例を示す図である。図３の左側には、口腔診査中に自動的に認識されて記録されたテキストデータを、上顎の右側及び左側、下顎の左側及び右側に区分して表示している。図３の右側には、各歯の認識結果に対応する部分画像（即ち、歯の症状に対応する部分画像）を歯列として表示し、さらに、引き出し線を用いてテキストでも表示している。部分画像は、歯毎に、表１に示した記号及びそれらの組み合わせの各々に対応する画像を用意すればよい。
【実施例１】
【００４８】
以下に実施例を示し、本発明の特徴とするところをより一層明確にする。
【００４９】
図４〜１０に、音声認識ソフトとして、ＡｍｉＶｏｉｃｅ（登録商標）を使用した結果を示す。
【００５０】
図４は、一人の人による、「かいぎょう」と「にかいぎょう」の発声を認識させた結果を示す（「かいぎょう」と発音しても正しく「改行」と認識されないソフト使用の例）。横軸は日を表す。縦軸は誤認率（％）であり、１日中に複数回実施し、実施日毎に、「改行」と正しく認識されなかった回数の実施回数に対する割合を示す。図４から、「かいぎょう」と発声した場合、「改行」と正しく認識されたことは無く、誤認率１００％であった。しかし、「にかいぎょう」と発声した場合、全て「改行」と認識され、誤認率０％であった。
【００５１】
図５は、同一人による、「〜（から）」と「より」の発声を認識させた結果を示す。横軸、縦軸の意味は図４と同じである。図５から、「から」と発声した場合、誤認率８０％以上であり、ほとんどの場合「〜」と正しく認識されなかった。しかし、「より」と発声した場合、全て「より」と正しく認識され、誤認率０％であった。
【００５２】
図６は、同一人による、「すらっしゅ」と「こめじるし」の発声を認識させた結果を示す。横軸、縦軸の意味は図４と同じである。図６から、「すらっしゅ」と発声した場合、誤認率１０〜５０％であり、「／」と正しく認識されない場合があった。しかし、「こめじるし」と発声した場合、全て「※」と正しく認識され、誤認率０％であった。
【００５３】
図７は、同一人による、「さそく」と「ひだりがわ」の発声を認識させた結果を示す。横軸、縦軸の意味は図４と同じである。図７から、「さそく」と発声した場合、誤認率７０〜１００％であり、ほとんどの場合「左側」と正しく認識されなかった。しかし、「ひだりがわ」と発声した場合、全て「左側」と正しく認識され、誤認率０％であった。
【００５４】
図８は、同一人による、「うそく」と「みぎがわ」の発声を認識させた結果を示す。横軸、縦軸の意味は図４と同じである。図８から、「うそく」と発声した場合、誤認率５０〜９０％であり、多くの場合「右側」と正しく認識されなかった。しかし、「みぎがわ」と発声した場合、全て「右側」と正しく認識され、誤認率０％であった。
【００５５】
図４〜７から、「改行」を認識させるには「にかいぎょう」と発声することが非常に有効であることが分かる。同様に、「〜（から）」を認識させるよりも「より」と発声することが、「左側」を認識させるには「ひだりがわ」と発声することが、「右側」を認識させるには「みぎがわ」と発声することが、非常に有効であることが分かる。また、「／」を認識させるよりも、「こめじるし」と発声して「※」と認識させることが、非常に有効であることが分かる。
【実施例２】
【００５６】
図９および１０に、音声認識ソフトとしてＡｍｉＶｏｉｃｅ（登録商標）を使用し、口腔診査を行った結果を示す。音声認識ソフトの学習機能を有効にして実施した。診査中、上記したように、「より」、「左側」、「右側」、「※」を認識させるために、それぞれ「より」、「ひだりがわ」、「みぎがわ」、「こめじるし」と発声した。
【００５７】
図９は、Ｊａｂｒａ社製ワイヤレスマイクＧＮ９１２０を使用した結果を示す。横軸、縦軸の意味は図４と同様である。但し、誤認率は、「より」、「左側」、「右側」、「※」を含めた全ての用語の認識に関して求めた。図９から、実施を開始してから２日目で、誤認率が２％以下になり、８日目以降はほぼ０％であることが分かる。１２日目からマスクを着用したが、ほぼ０％に維持されている。
【００５８】
図１０は、音声認識ソフトに附属のハンドマイクを使用した結果を示す。横軸、縦軸の意味は図９と同じである。図１０から、実施を開始してから２日目で、誤認率が約６％になり、６日目以降は１％以下になった。１２日目からマスクを着用したので、１２日〜１５日の間は２％を越えているが、１６日目以降はマスクを着用していても１％以下に戻った。
【００５９】
以上の実施例から、口腔診査において、本発明が非常に有効であることが明らかになった。
【符号の説明】
【００６０】
１      コンピュータ
２      ワイヤレスマイク
３      電波受信部
１１    演算処理部
１２    一時記憶部
１３    記録部
１４    操作部
１５    表示部
１６    入出力インターフェイス部（入出力ＩＦ部）
１７    内部バス
Ｄ      医師
【図１】
2011085805.tif 000005
【図２】
2011085805.tif 000006
【図３】
2011085805.tif 000007
【図４】
2011085805.tif 000008
【図５】
2011085805.tif 000009
【図６】
2011085805.tif 000010
【図７】
2011085805.tif 000011
【図８】
2011085805.tif 000012
【図９】
2011085805.tif 000013
【図１０】
2011085805.tif 000014